(57)【要約】【課題】  座部を使用しない時に該座部を安全に容易に収納できる座部収納式歩行車を提供すること。【解決手段】  床面（６）を走行できる脚枠（７）と、肘支柱（８）と、肘受（９）と、座部（３）と、下部（４ｂ）は脚枠（７）に取着され上部（４ａ）は座部（３）に取着される座部支持部（４）とを有する歩行車（２）において、前記座部支持部（４）は座部上側支持具（５）と座部下側支持具（１８）とから構成され、座部上側支持具（５）の下部（５ｂ）を脚枠（７）から離脱し、座部下側支持具（１８）の下部（１８ｂ）を中心に回動させながら、座部（３）及び座部上側支持具（５）を収納位置へ移動し、座部（３）及び座部支持部（４）を歩行車（２）の歩行エリア（１２）より外へ収納する座部収納式歩行車である。【選択図】図１
2007117479.tif 000002
【特許請求の範囲】
【請求項１】
床面（６）を走行できる脚枠（７）と、肘支柱（８）と、肘受（９）と、座部（３）と、下部（４ｂ）は脚枠（７）に取着され上部（４ａ）は座部（３）に取着される座部支持部（４）とを有する歩行車（２）において、
前記座部支持部（４）は座部上側支持具（５）と座部下側支持具（１８）とから構成され、
座部上側支持具（５）の下部（５ｂ）を脚枠（７）から離脱し、座部下側支持具（１８）の下部（１８ｂ）を中心に回動させながら、座部（３）及び座部上側支持具（５）を収納位置へ移動し、
座部（３）及び座部支持部（４）を歩行車（２）の歩行エリア（１２）より外へ収納する座部収納式歩行車。
【請求項２】
脚枠（７）の前辺（７ｃ）に前枠（１０）が立設され、
座部（３）が、使用位置では、座部上側支持具（５）の下部（５ｂ）は前枠（１０）の所定位置に螺着でき、収納位置では、前枠（１０）の他の所定位置に螺着できる構成とされることを特徴とする請求項１記載の座部収納式歩行車。
【請求項３】
座部上側支持具（５）の下部（５ｂ）を仮り止めする仮止具（２０）が前枠（１０）に設けられ、
座部（３）を使用位置にセッティングする時、座部上側支持具（５）の下部（５ｂ）を一旦仮止具（２０）へ仮り止めした後に該座部上側支持具（５）を前枠（１０）へ螺着することを特徴とする請求項１記載の座部収納式歩行車。
【発明の詳細な説明】
【技術分野】
【０００１】
本発明は、下肢の機能に障害を持つ人（＝以下患者という）に対して歩行運動を行なう座部収納式歩行車に関する。
【背景技術】
【０００２】
前記従来技術には、サドルを昇降させる昇降部がフレームに着脱可能に設けられるサドル着脱昇降式歩行車が開示されている。
【特許文献１】特開２００５−２１３２７号公報
【発明の開示】
【発明が解決しようとする課題】
【０００３】
従来装置は、サドルを支持する昇降部をフレームから取り外せ、歩行時にサドルが邪魔にならないようにできるが、サドル及び平行リンク等を外す作業が面倒であり、又、外したサドル及び平行リンク等の保管場所も必要となるという課題がある。
【０００４】
本発明の目的は、座部を使用しない時に安全に容易に収納できる座部収納式歩行車を提供することにある。
【課題を解決するための手段】
【０００５】
即ち本発明は、床面（６）を走行できる脚枠（７）と、肘支柱（８）と、肘受（９）と、座部（３）と、下部（４ｂ）は脚枠（７）に取着され上部（４ａ）は座部（３）に取着される座部支持部（４）とを有する歩行車（２）において、
前記座部支持部（４）は座部上側支持具（５）と座部下側支持具（１８）とから構成され、座部上側支持具（５）の下部（５ｂ）を脚枠（７）から離脱し、座部下側支持具（１８）の下部（１８ｂ）を中心に回動させながら、座部（３）及び座部上側支持具（５）を収納位置へ移動し、座部（３）及び座部支持部（４）を歩行車（２）の歩行エリア（１２）より外へ収納する座部収納式歩行車である。
又、脚枠（７）の前辺（７ｃ）に前枠（１０）が立設され、座部（３）が、使用位置では、座部上側支持具（５）の下部（５ｂ）は前枠（１０）の所定位置に螺着でき、収納位置では、前枠（１０）の他の所定位置に螺着できる構成とされる。
更に、座部上側支持具（５）の下部（５ｂ）を仮り止めする仮止具（２０）が前枠（１０）に設けられ、座部（３）を使用位置にセッティングする時、座部上側支持具（５）の下部（５ｂ）を一旦仮止具（２０）へ仮り止めした後に該座部上側支持具（５）を前枠（１０）へ螺着する。
【発明の効果】
【０００６】
本発明に係る座部支持部４は座部上側支持具５と座部下側支持具１８とから構成され、座部上側支持具５の下部５ｂを脚枠７から離脱し、座部下側支持具１８の下部１８ｂを中心に回動させながら、座部３及び座部上側支持具５を収納位置へ移動し、座部３及び座部支持部４を歩行車２の歩行エリア１２より外へ収納するものであるから、座部支持部４の一部である座部上側支持具５の下部５ｂを離脱させるという容易な操作で、座部３及び座部支持部４を、歩行エリア１２より外（起立歩行の邪魔にならない箇所）に移動でき、患者の歩行能力レベルに合わせて、座部３の有無（使用位置又は収納位置）をいずれかに容易に変更でき、患者は好適な歩行ができ、好都合である。
【０００７】
又、従来技術で必要であった座部３を置く場所は、本発明では座部支持部４の一部しか離脱させず、座部３を歩行車２の前部に収納するので、不要であり、好都合である。
【０００８】
本発明は、脚枠７の前辺７ｃに前枠１０が立設され、座部３が、使用位置では、座部上側支持具５の下部５ｂは前枠１０の所定位置に螺着でき、収納位置では、前枠１０の他の所定位置に螺着できる構成とされるから、座部３及び座部支持部４が、使用位置又は収納位置へ容易な螺着操作で確実に固定でき、好都合である。
【０００９】
本発明に係る座部上側支持具５の下部５ｂを仮り止めする仮止具２０が前枠１０に設けられ、座部３を使用位置にセッティングする時、座部上側支持具５の下部５ｂを一旦仮止具２０へ仮り止めした後に該座部上側支持具５を前枠１０へ螺着するものであるから、座部上側支持具５の下部５ｂを前枠１０の所定位置へ取り付ける作業が、し易く、又安全に行なえ、好都合である。
【実施例１】
【００１０】
図１乃至５に本発明の実施例１を示す。
実施例１の座部収納式歩行車１は、患者が歩行運動及び起立運動を行なう歩行車２において、座部３及び座部支持部４を、座部上側支持具５を離脱させる操作をもって収納するようにしたものである。
座部収納式歩行車１は、床面６を走行する脚枠７と、脚枠７に立設される肘支柱８と、肘支柱８に支持される肘受９と、脚枠７の前辺７ｃに立設される前枠１０と、前枠１０に取着される座部支持部４と、座部支持部４の上部４ａに取着される座部３とからなる。
【００１１】
脚枠７は、下部に車輪１１が設けられ平面視Ｕ字形の枠体でなる。
前記脚枠７は、左辺７ａ、右辺７ｂ、及び、前辺７ｃからなる。左辺７ａ、右辺７ｂ、及び、前辺７ｃで囲まれたエリアは歩行エリア１２である。
【００１２】
肘支柱８は左・右肘支柱８ａ・８ｂからなり、該左・右肘支柱８ａ・８ｂは、それぞれ前記左辺７ａ及び右辺７ｂに立設される。
肘支柱８は脚枠７に立設される外筒１３と、外筒１３に内嵌する内筒１４とからなる。
【００１３】
内筒１４は、外筒１３にテレスコープ状に挿通され、前記外筒１３には支柱ロック具１５が設けられてなる。
介助者が前記肘支柱８を伸縮操作することによって前記肘受９を、適宜な高さに変更・調節できる。
左・右肘支柱８ａ・８ｂと前枠１０とが補強枠１６で連結される。
【００１４】
前辺７ｃに立設された前枠１０に、座部支持部４の下部４ｂが軸止される縦片１７が取着される。
【００１５】
使用位置にある座部３は座部収納式歩行車１の歩行エリア１２内の平面視略中央に進出される。
座部支持部４は、座部３を支持するものであり、座部上側支持具５と座部下側支持具１８とから構成される。
座部支持部４の上部４ａは座部３を支持し、該座部支持部４の下部４ｂは前枠１０に螺着される。
【００１６】
座部３が前記使用位置では、座部上側支持具５の下部５ｂが前枠１０の上部後壁１０ｂ（＝所定位置）へノブボルト１９で螺着される。
座部上側支持具５の下部５ｂを前枠１０に仮り止めする仮止具２０が、該前枠１０に設けられる。
前記仮止具２０は前枠１０の上部後壁１０ｂに後方向きに突出して設けられる鉤状突起物である。座部３を使用位置にセッティングする時、座部上側支持具５の下部５ｂを一旦仮止具２０へ引っ掛け仮り止めした後に該座部上側支持具５を前枠１０へ螺着する。
【００１７】
座部３及び座部支持部４は、収納位置では、座部収納式歩行車１の歩行エリア１２より外に収納される。
ノブボルト１９を外せば、前枠１０の上部後壁１０ｂ（＝所定位置）に螺着された座部上側支持具５の下部５ｂを該前枠１０から離脱できる。
座部下側支持具１８はその下部１８ｂを中心に回動でき、座部３及び座部上側支持具５を脚枠７の前方へ回動し収納位置に移動できる。
【００１８】
前枠１０の上部前壁１０ｃ（＝他の所定位置）へ前方向きに固定片２１が設けられる。該固定片２１は上部前壁１０ｃへヒンジ２２で取り付けられている。
座部３が前記収納位置にある時は、座部上側支持具５の下部５ｂが、前枠１０の上部前壁１０ｃ（＝他の所定位置）へ前方向に突設された固定片２１へノブボルト１９で螺着される。
前記固定片２１に座部上側支持具５の下部５ｂを固定しない時は、該固定片２１は垂下状態にある。
【００１９】
座部上側支持具５は、前枠１０と座部枠２３とに懸け渡される。上部５ａが座部枠２３に取り付けられ、下部５ｂが縦片１７に取り付けられて構成される四節リンク２４であり、前記縦片１７は前枠１０に取り付けられる。
【００２０】
四節リンク２４は、二本の平行アーム（＝上・下平行アーム２６・２７）と、該平行アーム２６・２７の各上部が軸止される座部枠２３と、上・下平行アーム２６・２７の各下部が軸止される縦片１７とからなる。
図５に示す通り、縦片１７の上端に上平行アーム２６の下部が軸３４で軸止される。縦片１７の下端に下平行アーム２７の下部が軸３４で軸止される。中央部には雌ネジ２８が形成される。
【００２１】
上・下平行アーム２６・２７は縦片１７の内側に嵌って有り、該縦片１７は、ノブボルト１９を雌ネジ２８に螺合させることによって前枠１０に螺着される。
座部３を収納位置に変更するとき、縦片１７を、前枠１０から離脱し、前枠１０の前部へ移動させる。その移動に伴い四節リンク２４及び座部下側支持具１８は座部収納式歩行車１の前部へ移動する。
【００２２】
座部下側支持具１８は、上部１８ａが座部枠２３に取り付けられ、下部１８ｂが前枠１０の下部１０ｄに取り付けられて構成される伸縮体４１である。
【００２３】
伸縮体４１は伸縮する部材であり、該伸縮体４１には伸縮体４１の伸縮をロックするロック機構（図示省略）が内蔵されている。
伸縮体４１は、ロックを解除すると伸展方向に付勢力を有し、座部枠２３を上方へ付勢する。伸縮体４１の具体例は、ガススプリングである。
【００２４】
解除具２５は、座部枠２３に設けられ、介助者が片手で座部３と一緒に掴める位置にある。
解除具２５は、伸縮体４１と座部枠２３が連結される部位に構成され、レバー２９と、リンク金具３０とからなる。リンク金具３０はレバー２９によって回動させられ、前記伸縮体４１のプッシュロッド（図示省略）を押圧し伸縮体４１のロック作用を解除するものである。
【００２５】
解除具２５を上方へ移動させると、リンク金具３０が伸縮体４１のプッシュロッドを押し退入させ、伸縮体４１は伸縮自在状態になる。
解除具２５を放しバネ（図示省略）力で下方へ移動させると、リンク金具３０が伸縮体４１のプッシュロッドから離れプッシュロッドは突出し戻り、伸縮体４１の伸縮作用は不自在状態（ロックした状態）となる。
【００２６】
前記座部３は、座部支持部４の先部に取着された座部枠２３と座部枠２３の上部に取着される座面部３１とからなり、患者が座るものである。座部３の平面視形状は、略三角フラスコの正面視形状に相似した形である。
座部３は、四節リンク２４と伸縮体４１とでなる座部支持部４で支持され、座部収納式歩行車１の中央の歩行エリア１２に進出した使用位置と、座部収納式歩行車１の前部へ寄せた収納位置とに、移動可能に構成される。
【００２７】
又、座部３が使用位置にあって、上・下平行アーム２６・２７の各下部を中心に垂直方向に回動させることによって該上・下平行アーム２６・２７の各上部に取り付けられる座部３は昇降する。
【００２８】
肘受９は、患者が肘を乗せるものであり、肘支柱８の頂部に肘受９が、前方に僅か下降する前傾姿勢、且つ、内側方にも僅か下降傾斜する内傾姿勢に取着される。
肘受９の前部左右に、患者が握る握り部３２が上向き斜状に設けられる。
【００２９】
肘受９の後部に、患者の背部位置に有って適宜患者の背部に接触し背部を支える背部サポート３３が設けられる。
【００３０】
本発明の実施例１の座部収納式歩行車１を用いて歩行運動及び起立運動を行なう。
実施例１を歩行運動に使用する時は、患者は座部３に座り、前傾姿勢且つ内傾姿勢に設定した肘受９に肘を乗せる。
肘受９の高さを調整し、患者を歩行に好適な立位姿勢になし、歩行運動を行なう。
【００３１】
肘受９の高さ調節は、支柱ロック具１５のロック作用を解除しておいて、内筒１４を自在に昇降させる。肘受９を好適高さに調節して、支柱ロック具１５を作用させ、内筒１４を外筒１３で締付け、肘受９の上下動を固定する。
【００３２】
座部支持部４は座部３を昇降可能に支持する。
座部３の高さの調節は、介助者が、レバー２９を僅か持ち上げ伸縮体４１のロックを解除しておいて、座部３を、上方へ持ち上げ或いは押し下げ、好適な高さに調節し、その後、レバー２９を放して当該高さに固定する。
【００３３】
伸縮体４１は、介助者により、座部３を下降させるほどに縮小し、座部３を上昇させるほどに伸長するものである。
解除具２５は、伸縮体４１が常時は伸縮しないように働く固定作用を、座部３の高さを変更する時に解除するものである。
座部３は、使用位置から収納位置へ移動できると共に、使用位置において高さ調節できるものである。
【００３４】
この時、座部３は四節リンク２４の平行移動作用によりその座面部３１は水平を維持して移動し、又、レバー２９の座部３に対する相対位置は、座部３の高さに関係なく一定である。
患者が歩行すると、車輪１１が回転し実施例１は歩行を補助する。
【００３５】
患者の歩行能力がハイレベルであって、歩行運動時に座部３が邪魔になれば、該座部３を座部収納式歩行車１の前部へ寄せ収納位置に移動する。
【００３６】
座部３が使用位置では、縦片１７は前枠１０の上部１０ａ（＝所定位置）に螺着している。
収納位置に変更する時は、介助者は、先ず縦片１７を、ノブボルト１９を緩め前枠１０から離脱させる。
次に縦片１７を持ち上げ、前枠１０の前へ移動させる。
座部下側支持具１８の下部１８ｂの軸３４を中心に回動させ、座部３及び座部上側支持具５を収納位置へ移動させる。
【００３７】
縦片１７を最下まで下げる。四節リンク２４は変形しつつ移動し、上・下平行アーム２６・２７は垂直状になる。
上記態勢の上・下平行アーム２６・２７の頂部に座部３が有り座面部３１は垂直状になる。
座部支持部４が起立し、座部３及び座部支持部４を座部収納式歩行車１の歩行エリア１２より外へ至らせ収納する。
【００３８】
縦片１７を、前枠１０から前方へ突設された固定片２１（＝他の所定位置に在る）にノブボルト１９で止め、四節リンク２４を固定する。
この状態で座部３及び座部支持部４は収納位置となる。
【００３９】
座部３を使用位置へ戻す時は、縦片１７を、固定片２１から外し、座部収納式歩行車１の後方へ移動し、前枠１０の上部後壁１０ｂに螺着し、座部上側支持具５を所定位置へセッティングする。
その際、縦片１７を一旦仮止具２０へ仮り止めし、次に縦片１７をノブボルト１９で前枠１０へ螺着する。座部３を脚枠７の平面視略中央に位置させ、使用位置に設定する。
【００４０】
実施例１を起立運動に使用する時は、車輪１１の回転をロックし、患者は座部３に座り、肘受９に肘を乗せる。
患者は、握り部３２を握り、上体を前に移行しながら起立し、座姿勢から起立姿勢に移行する。続いて、起立姿勢から座姿勢に移行する。これらの動作を適宜繰り返し行なう。
【実施例２】
【００４１】
図６に示す実施例２は、実施例１の四節リンク２４を上直フレーム３５に代え、伸縮体４１を下直フレーム４０に代えたものである。
実施例２では、上直フレーム３５の下部は縦片１７に取着され、上部は座部３に取着される。
座部３が使用位置では、縦片１７は前枠１０の上部後壁１０ｂへ螺着される。
【００４２】
座部３が収納位置では、縦片１７を上部後壁１０ｂから外し、前枠１０の前部へ移動し、下直フレーム４０及び座部３を、軸３４を中心に回動させる。次に縦片１７を、前枠１０の前壁へノブボルト１９でネジ止めする。
【００４３】
座部３の下部４ｂにはスライドパイプ３６が垂下取着される。該スライドパイプ３６は、座部枠２３に垂直方向に摺動可能に設けられ、締め具３７で適宜位置に固定される。スライドパイプ３６の固定位置を調節して座部３の高さを変更・設定する。
【実施例３】
【００４４】
図７に示す実施例３は、実施例２の前枠１０を、脚枠７に垂下状に取着される垂下枠３８に代えたものである。
実施例３は、下直フレーム４０の下部を垂下枠３８の下部に軸支する。仮止具２０は先端を丸くした短寸棒部材を脚枠７に上向きに突設してなる。
使用位置では、上直フレーム３５の下部が脚枠７に螺着される。
【００４５】
上直フレーム３５の下部を脚枠７にセッティングする時は、先ず上直フレーム３５の小穴３９を仮止具２０に外嵌させた後、ノブボルト１９で上直フレーム３５を脚枠７に止め、座部３を使用位置にする。
【００４６】
収納位置へ変更する時は、ノブボルト１９を脚枠７から外し、上直フレーム３５を脚枠７の前に移動し、下直フレーム４０の下部を中心に回動させ、座部３を脚枠７の前辺７ｃの上方位置へ移動させ、上直フレーム３５の中部を前辺７ｃの前壁に螺着する。
【産業上の利用可能性】
【００４７】
床面６を走行できる脚枠７と、肘支柱８と、肘受９と、座部３と、下部４ｂは脚枠７に取着され上部４ａは座部３に取着され座部３を支える座部支持部４とを有する歩行車２において、前記座部支持部４は座部上側支持具５と座部下側支持具１８とから構成され、座部上側支持具５の下部４ｂを脚枠７から離脱し、座部下側支持具１８の下部１８ｂを中心に回動させ、座部３及び座部上側支持具５を収納位置へ移動し、座部３及び座部支持部４を座部収納式歩行車１の歩行エリア１２より外へ収納するものに、適用できる。
【図面の簡単な説明】
【００４８】
【図１】本発明の実施例１に係る座部が使用状態の歩行車の右側面図である。
【図２】本発明の実施例１に係る座部が収納状態の歩行車の右側面図である。
【図３】本発明の実施例１の歩行車の正面図である。
【図４】本発明の実施例１の歩行車の平面図である。
【図５】本発明の実施例１に係る縦片を示す図である。
【図６】本発明の実施例２の歩行車の右側面図である。
【図７】本発明の実施例３の歩行車の右側面図である。
【符号の説明】
【００４９】
１  座部収納式歩行車
２  歩行車
３  座部
４  座部支持部
４ａ上部
４ｂ下部
５  座部上側支持具
５ｂ下部
６  床面
７  脚枠
７ｃ前辺
８  肘支柱
９  肘受
１０  前枠
１２  歩行エリア
１８  座部下側支持具
１８ａ上部
１８ｂ下部
２０  仮止具
【図１】
2007117479.tif 000003
【図２】
2007117479.tif 000004
【図３】
2007117479.tif 000005
【図４】
2007117479.tif 000006
【図５】
2007117479.tif 000007
【図６】
2007117479.tif 000008
【図７】
2007117479.tif 000009